(57)【要約】    【課題】  滑らかで良質な動画表示が得られるようにした場合であっても小型化が容易な構造をもつとともに、静止画を表示するときや動画表示の滑らかさよりも画面の明るさが優先されるようなときにおいても光利用効率が大幅に低下しないプロジェクタを提供する。    【解決手段】  光源装置１１０と、インテグレータロッド１２０と、リレー光学系１４０と、液晶表示装置４００と、投写光学系６００と、光シャッタとしての回転板２０と、この回転板２０を回転させるための駆動モータ１０とを備えたプロジェクタ１０００であって、回転板２０を光路内の進行位置で駆動モータ１０に着脱可能に連結する連結手段７３０をさらに備え、回転板２０は、駆動モータ１０から離脱した状態において、光路内の進行位置から光路外の退避位置に退避したり、光路外の退避位置から光路内の進行位置に進行したりするように構成されてなることを特徴とするプロジェクタ。【選択図】  図２
2005266580.tif 000002
【特許請求の範囲】
【請求項１】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光入射面近傍に配置され、照明光軸に平行な回転軸を有するとともに、その回転によって、前記電気光学変調装置に照射される照明光束が前記電気光学変調装置の画面書込み周波数に同期して遮断されるよう間欠的に光の遮断を行う回転部材と、
この回転部材を回転させるための駆動モータとを備えたプロジェクタであって、
前記回転部材を光路内の進行位置で前記駆動モータに着脱可能に連結する連結手段をさらに備え、
前記回転部材は、前記駆動モータから離脱した状態において、光路内の進行位置から光路外の退避位置に退避したり、光路外の退避位置から光路内の進行位置に進行したりするように構成されてなることを特徴とするプロジェクタ。
【請求項２】
被照明領域側に照明光束を集束光束として射出する光源装置と、
この光源装置からの照明光束が集束する位置よりも前記光源装置から遠い側に配置され、前記光源装置からの照明光束を略平行な照明光束に変換する平行化レンズと、
この平行化レンズからの照明光束を複数の部分光束に分割するための複数の小レンズを有する第１レンズアレイと、
この第１レンズアレイの前記複数の小レンズに対応する複数の小レンズを有する第２レンズアレイと、
この第２レンズアレイからの各部分光束を被照明領域で重畳させるための重畳レンズと、
この重畳レンズによって重畳された照明光束を画像情報に応じて変調する電気光学変調装置と、
この電気光学変調装置によって変調された照明光束を投写する投写光学系と、
前記光源装置からの照明光束が集束する位置近傍に配置され、照明光軸に平行な回転軸を有するとともに、その回転によって、前記電気光学変調装置に照射される照明光束が前記電気光学変調装置の画面書込み周波数に同期して遮断されるよう間欠的に光の遮断を行う回転部材と、
この回転部材を回転させるための駆動モータとを備えたプロジェクタであって、
前記回転部材を光路内の進行位置で前記駆動モータに着脱可能に連結する連結手段をさらに備え、
前記回転部材は、前記駆動モータから離脱した状態において、光路内の進行位置から光路外の退避位置に退避したり、光路外の退避位置から光路内の進行位置に進行したりするように構成されてなることを特徴とするプロジェクタ。
【請求項３】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光射出面近傍に配置され、照明光軸に平行な回転軸を有するとともに、その回転によって、前記電気光学変調装置の画像形成領域上で光照射領域と光非照射領域とが前記電気光学変調装置の画面書込み周波数に同期して順次交互にスクロールされるように、渦巻き状に形成された光透過領域と光非透過領域とを有する回転部材と、
この回転部材を回転させるための駆動モータとを備えたプロジェクタであって、
前記回転部材を光路内の進行位置で前記駆動モータに着脱可能に連結する連結手段をさらに備え、
前記回転部材は、前記駆動モータから離脱した状態において、光路内の進行位置から光路外の退避位置に退避したり、光路外の退避位置から光路内の進行位置に進行したりするように構成されてなることを特徴とするプロジェクタ。
【請求項４】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光入射面近傍に配置され、照明光軸に平行な回転軸を有するとともに、その回転によって、前記電気光学変調装置に照射される照明光束を時分割方式により色分離する回転部材と、
この回転部材を回転させるための駆動モータとを備えたプロジェクタにおいて、
前記回転部材を光路内の進行位置で前記駆動モータに着脱可能に連結する連結手段をさらに備え、
前記回転部材は、前記駆動モータから離脱した状態において、光路内の進行位置から光路外の退避位置に退避したり、光路外の退避位置から光路内の進行位置に進行したりするように構成されてなることを特徴とするプロジェクタ。
【請求項５】
請求項１〜４のいずれかに記載のプロジェクタにおいて、
前記連結手段は、前記駆動モータと前記回転部材とを前記回転部材の回転方向に沿って連結するための第１連結手段と、
前記駆動モータと前記回転部材とを前記回転部材の回転軸方向に沿って連結するための第２連結手段とを有することを特徴とするプロジェクタ。
【請求項６】
請求項５に記載のプロジェクタにおいて、
前記第１連結手段は、前記駆動モータの回転動作により、前記駆動モータと前記進行位置に移動した前記回転部材との連結が完成するように構成されてなることを特徴とするプロジェクタ。
【請求項７】
請求項５又は６に記載のプロジェクタにおいて、
前記第１連結手段は、前記進行位置から前記退避位置へと前記回転部材を移動させる動作を開始することにより、前記駆動モータと前記進行位置に進行した前記回転部材との連結が解除されるように構成されてなることを特徴とするプロジェクタ。
【請求項８】
請求項５〜７のいずれかに記載のプロジェクタにおいて、
前記第１連結手段は、前記駆動モータの回転動作によって互いに係合され、かつ、前記回転部材を退避位置へと移動させる動作を開始することによって互いの係合が解除されるように構成された凸部をそれぞれ有する第１連結板及び第２連結板からなり、
前記第１連結板は前記駆動モータ側に配設され、前記第２連結板は前記回転部材側に配設されてなることを特徴とするプロジェクタ。
【請求項９】
請求項５〜８のいずれかに記載のプロジェクタにおいて、
前記第２連結手段として、前記回転部材を駆動モータ側に付勢するための板ばねを用いることを特徴とするプロジェクタ。
【請求項１０】
請求項９に記載のプロジェクタにおいて、
前記回転部材が前記駆動モータから離脱した状態において前記第２連結手段によって前記駆動モータ側に傾く動作を規制する規制部材をさらに備えることを特徴とするプロジェクタ。
【発明の詳細な説明】
【技術分野】
【０００１】
本発明はプロジェクタに関する。
【背景技術】
【０００２】
図１３は、従来のプロジェクタを説明するために示す図である。図１３（ａ）は従来のプロジェクタの光学系を示す図であり、図１３（ｂ）及び図１３（ｃ）はこのような従来のプロジェクタの問題点を説明するために示す図である。
このプロジェクタ９００Ａにおいては、電気光学変調装置として用いる液晶表示装置４００Ｒ，４００Ｇ，４００Ｂが、図１３（ｂ）に示すような輝度特性を有するホールド型の表示装置であるため、図１３（ｃ）に示すような輝度特性を有するインパルス型の表示装置であるＣＲＴの場合とは異なり、いわゆる尾引き現象のために滑らかな動画表示が得られないという問題がある（この尾引き現象については、例えば、非特許文献１参照。）。
【０００３】
図１４は、従来の他のプロジェクタを説明するために示す図である。図１４（ａ）は従来の他のプロジェクタの光学系を示す図であり、図１４（ｂ）及び図１４（ｃ）はこのような従来の他のプロジェクタに用いられる光シャッタを示す図である。
このプロジェクタ９００Ｂにおいては、図１４（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報  ＥＩＤ９９−１０  第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。また、このようなプロジェクタにおいては、光シャッタにより間欠的に光を遮断するようにしているため、滑らかで良質な動画表示が得られるようにしたときはもちろん、静止画を表示するときや動画表示の滑らかさよりも画面の明るさが優先されるようなときにおいても、常に光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、静止画を表示するときや動画表示の滑らかさよりも画面の明るさが優先されるようなときにおいても、光利用効率が大幅に低下しないプロジェクタを提供することを第２の目的とする。
【課題を解決するための手段】
【０００６】
（１）本発明は、光源装置として、被照明領域側に照明光束を集束光束として射出する光源装置を用い、この光源装置からの照明光束が絞られて最小になる領域であるインテグレータロッドの光入射面近傍に、光路内外に移動可能な状態で、間欠的に光の遮断を行う回転部材を配置することにより、上記した第１の目的及び第２の目的がともに達成できる。
【０００７】
本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光入射面近傍に配置され、照明光軸に平行な回転軸を有するとともに、その回転によって、前記電気光学変調装置に照射される照明光束が前記電気光学変調装置の画面書込み周波数に同期して遮断されるよう間欠的に光の遮断を行う回転部材と、この回転部材を回転させるための駆動モータとを備えたプロジェクタであって、前記回転部材を光路内の進行位置で前記駆動モータに着脱可能に連結する連結手段をさらに備え、前記回転部材は、前記駆動モータから離脱した状態において、光路内の進行位置から光路外の退避位置に退避したり、光路外の退避位置から光路内の進行位置に進行したりするように構成されてなることを特徴とする。
【０００８】
このため、本発明のプロジェクタによれば、電気光学変調装置に照射される照明光束が電気光学変調装置の画面書込み周波数に同期して遮断されるよう間欠的に光の遮断を行う回転部材を備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する回転部材を比較的小さな面積となるインテグレータロッドの光入射面近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【０００９】
また、本発明のプロジェクタによれば、回転部材は光路内外の進行位置と退避位置との間で移動するように構成されてなるため、静止画を表示するときや動画表示の滑らかさよりも画面の明るさが優先されるようなときには、回転部材を光路外の位置（退避位置）へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには回転部材を光路内の位置（進行位置）へ移動することにより、滑らかで良質な動画表示を得ることができ、静止画を表示するときや動画表示の滑らかさよりも画面の明るさが優先されるようなときには回転部材を光路外の位置（退避位置）へ移動することにより、明るい表示画面を得ることができ、使用目的に応じて最適な性能を発揮することができる。
【００１０】
また、本発明のプロジェクタにおいては、回転部材を駆動モータに着脱可能に連結する連結手段をさらに備え、この連結手段により回転部材を駆動モータから離脱した状態において、回転部材を光路内の進行位置から光路外の退避位置に退避したり光路外の退避位置から光路内の進行位置に進行したりするように構成されているため、滑らかで良質な動画表示が求められるときには、回転部材のみを光路内の進行位置へ移動することにより、滑らかで良質な動画表示を得ることができ、静止画を表示するときや動画表示の滑らかさよりも画面の明るさが優先されるようなときには、回転部材のみを光路外の退避位置へ移動することにより、明るい表示画面を得ることができる。
このため、駆動モータとともに回転部材を移動する場合と比較して負荷が軽くなるため、迅速で静かな移動が可能になるとともに、移動に必要な装置の構造の簡素化を図ることができる。また、回転部材のみを移動させることから、駆動モータ部分の退避スペースをとる必要がなく、退避スペースが少なくて済むという利益がある。
【００１１】
（２）本発明は、光源装置として、被照明領域側に照明光束を集束光束として射出する光源装置を用い、この光源装置からの照明光束が絞られて最小になる領域又はその近傍に、光路内外に移動可能な状態で、間欠的に光の遮断を行う回転部材を配置することによっても、上記した第１の目的及び第２の目的がともに達成できる。
【００１２】
本発明のプロジェクタは、被照明領域側に照明光束を集束光束として射出する光源装置と、この光源装置からの照明光束が集束する位置よりも前記光源装置から遠い側に配置され、前記光源装置からの照明光束を略平行な照明光束に変換する平行化レンズと、この平行化レンズからの照明光束を複数の部分光束に分割するための複数の小レンズを有する第１レンズアレイと、この第１レンズアレイの前記複数の小レンズに対応する複数の小レンズを有する第２レンズアレイと、この第２レンズアレイからの各部分光束を被照明領域で重畳させるための重畳レンズと、この重畳レンズによって重畳された照明光束を画像情報に応じて変調する電気光学変調装置と、この電気光学変調装置によって変調された照明光束を投写する投写光学系と、前記光源装置からの照明光束が集束する位置近傍に配置され、照明光軸に平行な回転軸を有するとともに、その回転によって、前記電気光学変調装置に照射される照明光束が前記電気光学変調装置の画面書込み周波数に同期して遮断されるよう間欠的に光の遮断を行う回転部材と、この回転部材を回転させるための駆動モータとを備えたプロジェクタであって、前記回転部材を光路内の進行位置で前記駆動モータに着脱可能に連結する連結手段をさらに備え、前記回転部材は、前記駆動モータから離脱した状態において、光路内の進行位置から光路外の退避位置に退避したり、光路外の退避位置から光路内の進行位置に進行したりするように構成されてなることを特徴とする。
【００１３】
このため、本発明のプロジェクタによれば、電気光学変調装置に照射される照明光束が電気光学変調装置の画面書込み周波数に同期して遮断されるよう間欠的に光の遮断を行う回転部材を備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する回転部材を光源装置からの照明光束が集束する位置近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１４】
また、本発明のプロジェクタによれば、回転部材は光路内外の進行位置と退避位置との間で移動するように構成されてなるため、静止画を表示するときや動画表示の滑らかさよりも画面の明るさが優先されるようなときには、回転部材を光路外の退避位置へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには回転部材を光路内の進行位置へ移動することにより、滑らかで良質な動画表示を得ることができ、静止画を表示するときや動画表示の滑らかさよりも画面の明るさが優先されるようなときには回転部材を光路外の退避位置へ移動することにより、明るい表示画面を得ることができ、使用目的に応じて最適な性能を発揮することができる。
【００１５】
また、本発明のプロジェクタにおいては、回転部材を駆動モータに着脱可能に連結する連結手段をさらに備え、この連結手段により回転部材を駆動モータから離脱した状態において、回転部材を光路内の進行位置から光路外の退避位置に退避したり光路外の退避位置から光路内の進行位置に進行したりするように構成されているため、滑らかで良質な動画表示が求められるときには回転部材のみを光路内の進行位置へ移動することにより、滑らかで良質な動画表示を得ることができ、静止画を表示するときや動画表示の滑らかさよりも画面の明るさが優先されるようなときには回転部材のみを光路外の退避位置へ移動することにより、明るい表示画面を得ることができる。
このため、駆動モータとともに回転部材を移動する場合と比較して負荷が軽くなるため、迅速で静かな移動が可能になるとともに、移動に必要な装置の構造の簡素化を図ることができる。また、回転部材のみを移動させることから、駆動モータ部分の退避スペースをとる必要がなく、退避スペースが少なくて済むという利益がある。
【００１６】
（３）本発明は、光均一化光学系としてインテグレータロッドを用い、このインテグレータロッドの光射出面近傍に、光路内外に移動可能な状態で、電気光学変調装置の画像形成領域上で光照射領域と光非照射領域とが電気光学変調装置の画面書込み周波数に同期して順次交互にスクロールされるように回転部材を配置することによっても、上記した第１の目的及び第２の目的がともに達成できる。
【００１７】
本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光射出面近傍に配置され、照明光軸に平行な回転軸を有するとともに、その回転によって、前記電気光学変調装置の画像形成領域上で光照射領域と光非照射領域とが前記電気光学変調装置の画面書込み周波数に同期して順次交互にスクロールされるように、渦巻き状に形成された光透過領域と光非透過領域とを有する回転部材と、この回転部材を回転させるための駆動モータとを備えたプロジェクタであって、前記回転部材を光路内の進行位置で前記駆動モータに着脱可能に連結する連結手段をさらに備え、前記回転部材は、前記駆動モータから離脱した状態において、光路内の進行位置から光路外の退避位置に退避したり、光路外の退避位置から光路内の進行位置に進行したりするように構成されてなることを特徴とする。
【００１８】
このため、本発明のプロジェクタによれば、電気光学変調装置の画面書込み周波数に同期して、光照射領域と光非照射領域とが順次交互にスクロールされるように渦巻き状に形成された光透過領域及び光非透過領域を有する回転部材を備えているため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
また、本発明のプロジェクタによれば、このような効果を奏する回転部材を比較的小さな面積となるインテグレータロッドの光射出面近傍に配置することとしているため、回転部材の大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１９】
また、本発明のプロジェクタによれば、回転部材は光路内外の進行位置と退避位置との間で移動するように構成されてなるため、静止画を表示するときや動画表示の滑らかさよりも画面の明るさが優先されるようなときには、回転部材を光路外の退避位置へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには回転部材を光路内の進行位置へ移動することにより、滑らかで良質な動画表示を得ることができ、静止画を表示するときや動画表示の滑らかさよりも画面の明るさが優先されるようなときには回転部材を光路外の退避位置へ移動することにより、明るい表示画面を得ることができ、使用目的に応じて最適な性能を発揮することができる。
【００２０】
また、本発明のプロジェクタにおいては、回転部材を駆動モータに着脱可能に連結する連結手段をさらに備え、この連結手段により回転部材を駆動モータから離脱した状態において、回転部材を光路内の進行位置から光路外の退避位置に退避したり光路外の退避位置から光路内の進行位置に進行したりするように構成されているため、滑らかで良質な動画表示が求められるときには回転部材のみを光路内の進行位置へ移動することにより、滑らかで良質な動画表示を得ることができ、静止画を表示するときや動画表示の滑らかさよりも画面の明るさが優先されるようなときには回転部材のみを光路外の退避位置へ移動することにより、明るい表示画面を得ることができる。
このため、駆動モータとともに回転部材を移動する場合と比較して負荷が軽くなるため、迅速で静かな移動が可能になるとともに、移動に必要な装置の構造の簡素化を図ることができる。また、回転部材のみを移動させることから、駆動モータ部分の退避スペースをとる必要がなく、退避スペースが少なくて済むという利益がある。
【００２１】
（４）本発明は、光路内外の進行位置と退避位置との間で移動可能な回転部材を駆動モータに着脱可能に連結する連結手段をプロジェクタに設けることにより上記したような優れた効果が得られることを見出したが、このような優れた効果の一部は、尾引き現象を緩和するための回転部材をプロジェクタに設ける場合だけに得られるのではなく、単板式プロジェクタをフルカラー化するための回転部材をプロジェクタに設ける場合にも得られる。
【００２２】
本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光入射面近傍に配置され、照明光軸に平行な回転軸を有するとともに、その回転によって、前記電気光学変調装置に照射される照明光束を時分割方式により色分離する回転部材と、この回転部材を回転させるための駆動モータとを備えたプロジェクタにおいて、前記回転部材を光路内の進行位置で前記駆動モータに着脱可能に連結する連結手段をさらに備え、前記回転部材は、前記駆動モータから離脱した状態において、光路内の進行位置から光路外の退避位置に退避したり、光路外の退避位置から光路内の進行位置に進行したりするように構成されてなることを特徴とする。
【００２３】
このため、本発明のプロジェクタによれば、回転部材を光路内外の進行位置と退避位置との間で移動させることができるため、使用目的（フルカラー表示又は高輝度モノクロ表示）に応じて回転部材の位置を自動的に切り替えることができ、非常に使い勝手のよいプロジェクタとなる。
また、本発明のプロジェクタにおいては、回転部材を駆動モータに着脱可能に連結する連結手段をさらに備え、この連結手段により回転部材を駆動モータから離脱した状態において、回転部材を光路内の進行位置から光路外の退避位置に退避したり光路外の退避位置から光路内の進行位置に進行したりするように構成されているため、フルカラー表示が求められるときには回転部材のみを光路内の進行位置へ移動することにより、フルカラー表示を得ることができ、高輝度モノクロ表示が求められるときには回転部材のみを光路外の退避位置へ移動することにより、高輝度モノクロ表示を得ることができる。
このため、駆動モータとともに回転部材を移動する場合と比較して負荷が軽くなるため、迅速で静かな移動が可能になるとともに、移動に必要な装置の構造の簡素化を図ることができる。また、回転部材のみを移動させることから、駆動モータ部分の退避スペースをとる必要がなく、退避スペースが少なくて済むという利益がある。
【００２４】
（５）上記（１）〜（４）のいずれかに記載のプロジェクタにおいては、前記連結手段は、前記駆動モータと前記回転部材とを前記回転部材の回転方向に沿って連結するための第１連結手段と、前記駆動モータと前記回転部材とを前記回転部材の回転軸方向に沿って連結するための第２連結手段とを有することが好ましい。
このように本発明においては、駆動モータと回転部材との連結を、回転部材の回転方向に沿った連結と回転部材の回転軸方向に沿った連結とに分けて、その回転方向に沿った連結が第１連結手段によって、回転軸方向に沿った連結が第２連結手段によってそれぞれ行われるよう構成されている。このため、駆動モータと回転部材との連結動作をより柔軟に行うことができる。
【００２５】
（６）上記（５）に記載のプロジェクタにおいては、前記第１連結手段は、前記駆動モータの回転動作により、前記駆動モータと前記進行位置に移動した前記回転部材との連結が完成するように構成されてなることが好ましい。
本発明のプロジェクタにおいては、回転部材は本来光路内外の進行位置と退避位置との間で移動可能であるがゆえに、駆動モータと回転部材とを連結するためには複雑な手順（例えば、ネジ締めにより回転部材と駆動モータとを固定する手順。）が必要となるが、このように構成することにより、光路外の退避位置から光路内の進行位置へと回転部材を移動させて駆動モータを順方向に回転するだけで、駆動モータと回転部材との連結が自動的に行われ、駆動モータの回転力を回転部材へと伝達することができる。このため、駆動モータと回転部材とを連結するための複雑な手順が不要になり、回転部材の迅速な進行・連結動作を行うことができる。
【００２６】
（７）上記（５）又は（６）に記載のプロジェクタにおいては、前記第１連結手段は、前記進行位置から前記退避位置へと前記回転部材を移動させる動作を開始することにより、前記駆動モータと前記進行位置に進行した前記回転部材との連結が解除されるように構成されてなることが好ましい。
本発明のプロジェクタにおいては、回転部材は本来光路内外の進行位置と退避位置との間で移動可能であるがゆえに、駆動モータと回転部材との連結を解除するためにも複雑な手順（例えば、駆動モータと回転部材とを連結しているネジを外す手順。）が必要となるが、このように構成することにより、光路内の進行位置において連結手段により駆動モータと連結されている回転部材を、光路内の進行位置から光路外の退避位置へと移動させる動作を開始するだけで、駆動モータと回転部材との連結の解除が自動的に行われ、駆動モータから回転部材を離脱させることができる。このため、駆動モータと回転部材との連結を解除するための複雑な手順が不要になり、回転部材の迅速な連結解除・退避動作を行うことができる。
【００２７】
（８）上記（５）〜（７）のいずれかに記載のプロジェクタにおいては、前記第１連結手段は、前記駆動モータの回転動作によって互いに係合され、かつ、前記回転部材を退避位置へと移動させる動作を開始することによって互いの係合が解除されるように構成された凸部をそれぞれ有する第１連結板及び第２連結板からなり、前記第１連結板は前記駆動モータ側に配設され、前記第２連結板は前記回転部材側に配設されてなることが好ましい。
【００２８】
このように構成することにより、駆動モータと回転部材とを連結させるときには、回転部材を光路内の進行位置に移動させて駆動モータを順方向に回転させるだけで、駆動モータ側に配設された第１連結板の凸部と回転部材側に配設された第２連結板の凸部とが互いに係合され、第１連結手段による駆動モータと回転部材との連結が完了するため、駆動モータの回転力を回転部材へと伝達することができる。また、駆動モータと回転部材との連結を解除するときには、光路内の進行位置において第１連結手段により駆動モータと連結されている回転部材を、光路内の進行位置から光路外の退避位置へと移動させる動作を開始するだけで、第１連結板の凸部と第２連結板の凸部との係合が解除され、駆動モータと回転部材との連結が解除されるため、駆動モータから回転部材を離脱させることができる。
このため、駆動モータと回転部材との連結及び連結解除をするための複雑な手順を行うことがなく、回転部材の迅速な進退動作を容易に行うことができる。
【００２９】
また、本発明のプロジェクタにおいては、回転部材は本来光路内外の進行位置と退避位置との間で移動可能であるがゆえに、回転部材を光路内の進行位置に移動させた際の配置位置に多少の位置ずれが起こるおそれがある。しかしながら、このように構成することにより、進行位置における回転部材の配置位置に多少の位置ずれがある場合であっても、駆動モータの回転動作によって第１連結板の凸部と第２連結板との凸部が接触し、その接触部分において回転部材の位置ずれを補正するような力が働くようにすることができるので、回転部材がその進行位置において正確に配置されることとなる。そして、第１連結板の凸部と第２連結板の凸部とが互いに係合され、第１連結手段による駆動モータと回転部材との連結が完了するため、駆動モータの回転力を回転部材へと確実に伝達することができる。
すなわち、このように構成することにより、回転部材を光路内の進行位置に移動させて駆動モータを順方向に回転させるだけで、回転部材の位置ずれの調整動作及び駆動モータと回転部材との連結動作を一挙に行うことができる。
【００３０】
なお、駆動モータと回転部材との連結動作及び連結解除動作、並びに回転部材の位置ずれを調整する際の動作については、詳細に後述することとする。
【００３１】
上記（８）に記載のプロジェクタにおいては、前記回転部材は、前記照明光軸に垂直な仮想面上を直線的に移動することにより前記進行位置と前記退避位置との間を進退するように構成されていてもよいし、前記照明光軸に垂直な仮想面上を回動することにより前記進行位置と前記退避位置との間を進退するように構成されていてもよい。
【００３２】
（９）上記（５）〜（８）のいずれかに記載のプロジェクタにおいては、前記第２連結手段として、前記回転部材を駆動モータ側に付勢するための板ばねを用いることができる。
本発明においては、上記（５）において記したように、駆動モータと回転部材との連結を、回転部材の回転方向に沿った連結と回転部材の回転軸方向に沿った連結とに分けて、その回転軸方向に沿った連結を第２連結手段によって行うこととしたので、付勢手段として一般に広く利用されている板ばねを第２連結手段として用いることにより、回転部材の回転軸方向に沿った連結を容易に行うことができる。
また、板ばねは一般に小型軽量で、かつ、製造加工が容易であるため、このように構成することにより、駆動モータと回転部材とを回転部材の回転軸方向に沿って連結するのに必要な装置の小型化やそのような装置の構造の簡素化を図ることができる。
【００３３】
（１０）上記（９）に記載のプロジェクタにおいては、前記回転部材が前記駆動モータから離脱した状態において前記第２連結手段によって前記駆動モータ側に傾く動作を規制する規制部材をさらに備えることが好ましい。
本発明のプロジェクタにおいては、回転部材は光路内外の進行位置と退避位置との間で移動可能であり、かつ、第２連結手段によって駆動モータと回転部材とを回転部材の回転軸方向に沿って連結しているがゆえに、回転部材を光路外の退避位置に移動させたときにおいても、回転部材に対して第２連結手段による押圧力が働くことがある。光路外の退避位置においてそのような押圧力が働いた場合には、回転部材が駆動モータ側に斜めに傾いてしまうので、回転部材が駆動モータと衝突してしまい、回転部材が割れたり回転部材の光透過領域又は光非透過領域に傷がついたりするなどの悪影響を及ぼすおそれがある。
しかしながら、このように構成することにより、回転部材を光路外の退避位置に移動させたときには、第２連結手段による回転部材への押圧力は規制部材が受けることになるので、駆動モータから離脱した回転部材が駆動モータ側へ傾く動作は規制部材によって規制されることとなる。このため、回転部材と駆動モータとの不慮の衝突を回避することができ、回転部材への悪影響を未然に防止することができる。
【発明を実施するための最良の形態】
【００３４】
以下、本発明のプロジェクタについて、図に示す実施の形態に基づいて説明する。
【００３５】
〔実施形態１〕
図１は、実施形態１に係るプロジェクタを説明するために示す図である。図１（ａ）はプロジェクタの光学系を上面から見た図であり、図１（ｂ）は光学系を側面から見た図であり、図１（ｃ）は図１（ａ）及び図１（ｂ）の回転板を説明するために示す図であり、図１（ｄ）は被照明領域である電気光学変調装置としての液晶表示装置上における照明状態を示す図である。なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３６】
実施形態１に係るプロジェクタ１０００は、図１（ａ）及び図１（ｂ）に示すように、照明装置１００と、照明装置１００からの照明光束を画像情報に応じて変調する電気光学変調装置としての液晶表示装置４００と、液晶表示装置４００によって変調された照明光束をスクリーンＳＣＲなどの投写面上に投写する投写光学系６００とを備えている。
【００３７】
照明装置１００は、楕円面リフレクタ１１４、高圧水銀ランプなどからなる発光管１１２及び反射手段としての補助ミラー１１６を有する光源装置１１０と、この光源装置１１０から射出された照明光束を液晶表示装置４００の画像形成領域上に均一に照射するためのインテグレータロッド１２０と、このインテグレータロッド１２０からの射出光を液晶表示装置４００の画像形成領域上に導くリレー光学系１４０とを有している。
【００３８】
実施形態１に係るプロジェクタ１０００においては、図１（ａ）及び図１（ｂ）に示すように、光源装置１１０からの照明光束が集束する位置近傍に、インテグレータロッド１２０の光入射面が配置されている。また、インテグレータロッド１２０の光入射面近傍には、光シャッタとしての回転板２０とこれを回転させるための駆動モータ１０とが配置されている。この回転板２０は、照明光軸１００ａｘに平行な回転軸を有し、図１（ｃ）に示すように、回転方向に沿って光透過領域２２と光非透過領域２４とが交互に配置されている。そして、図１（ｄ）に示すように、液晶表示装置４００に照射される照明光束が液晶表示装置４００の画面書込み周波数に同期して遮断されるよう間欠的に光の遮断を行う機能を有している。
【００３９】
実施形態１に係るプロジェクタ１０００においては、画面書込みは、液晶表示装置４００に同一画面を２度繰り返し書き込む倍速駆動を行っている。そして、１回目の書込み時は光を遮断し、２回目の書込み時に光を通過させることで、液晶表示装置４００が十分に応答する前の画面に基づいて光変調を行うことがなくなり、液晶表示装置４００の応答速度に左右されない高画質の動画表示を行うことが可能となっている。
【００４０】
実施形態１に係るプロジェクタ１０００においては、上記のような回転板２０が設けられている。このため、これを所定の速度で回転させることにより、液晶表示装置４００の画像形成領域において光照射を所定のタイミングで間欠的に行うことが容易にできるようになる。その結果、尾引き現象が緩和され、滑らかで良質な動画表示が得られるようになる。
【００４１】
また、実施形態１に係るプロジェクタ１０００においては、上記のような効果を奏する回転板２０が比較的小さな面積となるインテグレータロッド１２０の光入射面近傍に配置されている。その結果、回転板２０の大きさを極力小さくすることができ、プロジェクタの大型化を極力抑制することができる。このため、実施形態１に係るプロジェクタ１０００は、滑らかで良質な動画表示が得られるようにした場合であっても小型化が容易な構造をもったプロジェクタとなる。
なお、光源装置１１０と回転板２０との間には赤外線ミラー１１５が配置されており、回転板２０への熱的負荷が低減されている。
【００４２】
ここで、実施形態１に係るプロジェクタ１０００においては、回転板２０における光非透過領域２４は、光反射領域としてある。このため、この光反射領域（光非透過領域２４）で反射された光は、楕円面リフレクタ１１４を介して発光管１１２に向かう。この光はさらに発光管１１２を通過して補助ミラー１１６によって反射され、再び楕円面リフレクタ１１４に向かい、光の再利用が図られる。また、この光が発光管１１２の発光部中心近傍に存在するプラズマに吸収される場合には、プラズマの温度が上昇し、その結果、発光強度が高まる。
このため、実施形態１に係るプロジェクタ１０００によれば、滑らかで良質な動画表示が得られるようにした場合であっても光利用効率が大幅に低下しないプロジェクタとなる。
なお、この場合、回転板２０の光透過領域２２には、誘電体多層膜等からなる減反射膜を形成することで、光利用効率の低下を最小限のものにすることができる。
【００４３】
次に、光シャッタ装置７００の詳細について、図１及び図２〜図５を用いて説明する。
図２は、実施形態１に係るプロジェクタにおける光シャッタ装置を説明するために示す図である。図２（ａ）は光シャッタ装置の正面図であり、図２（ｂ）は光シャッタ装置の第１連結板を示す正面図であり、図２（ｃ）はその上面図であり、図２（ｄ）は光シャッタ装置の第２連結板を示す正面図であり、図２（ｅ）はその上面図である。
図３は、光シャッタ装置における回転部材と駆動モータとの連結状態を示す図である。図３（ａ）は回転部材と駆動モータとの連結状態を光源装置側から見た斜視図であり、図３（ｂ）は回転部材と駆動モータとの連結状態を被照明領域側から見た斜視図である。
【００４４】
光シャッタ装置７００は、図２に示すように、回転板２０と、回転板２０を回転させるための駆動モータ１０と、回転板２０を駆動モータ１０に着脱可能に連結する連結手段７３０と、回転板２０が駆動モータ１０側に傾く動作を規制するための規制部材７６０と、回転板２０を光路内の進行位置と光路外の退避位置との間で進退させるための移動装置（図示せず）とから大略構成されている。
【００４５】
回転板２０は、図２（ａ）及び図３に示すように、ガイド７０２にホルダ７１０を介して進退自在に保持されている。ガイド７０２は、図３に示すように、照明光軸１００ａｘに垂直な水平方向（ｘ軸方向）に延在する丸棒ガイドによって形成されている。ホルダ７１０は、ガイド７０２に対し直角に形成された垂直部７１２及びこの垂直部７１２に対し傾斜する傾斜部７１４を有する略へ字状の保持部材によって形成されている。垂直部７１２の上方端部（ガイド側端部）にはガイド７０２を挿通させる丸孔からなるガイド挿通孔７１６が、また傾斜部７１４の先端部には回転板２０を回転自在に保持するホルダ部７１８がそれぞれ設けられている。ガイド挿通孔７１６の内周面とガイド７０２の外周面との間のクリアランスは、回転板２０と駆動モータ１０との位置合わせ時（位置合わせ精度±０．５ｍｍ程度）におけるホルダ７１０の揺動によって許容範囲のずれを吸収し得るような寸法に設定されている。
【００４６】
駆動モータ１０は、照明光軸１００ａｘと平行なモータ軸（図示せず）を有し、光路の側方（ｘ軸方向）に配置されている。そして、回転板２０に対し連結手段７３０を介して図２（ａ）における矢印Ｒ１方向（時計回り）の回転力を付与するように構成されている。
なお、駆動モータ１０の回転が停止したときには、駆動モータ１０の回転位置は、順回転方向（図２（ａ）の矢印Ｒ１方向）又は逆回転方向（図２（ａ）の矢印Ｒ２方向）に若干回動できるように構成されている。
【００４７】
連結手段７３０は、図２（ａ）及び図３に示すように、駆動モータ１０と回転板２０とを回転板２０の回転方向（図２（ａ）の矢印Ｒ１方向）に沿って連結するための第１連結手段７３２と、駆動モータ１０と回転板２０とを回転板２０の回転軸方向（ｚ軸方向）に沿って連結するための第２連結手段７３４とを備えている。
【００４８】
第１連結手段７３２は、図２及び図３に示すように、駆動モータ１０の回転動作によって互いに係合され、かつ、回転板２０を退避位置へと移動させる動作を開始することによって互いの係合が解除されるように構成された凸部をそれぞれ有する第１連結板７４０及び第２連結板７５０を備えている。
【００４９】
第１連結板７４０は、図２（ｂ）及び図３に示すように、全体が円板によって形成され、その一方側端面の中心部が駆動モータ１０のモータ軸上に固着されている。第１連結板７４０の他方側端面の外周縁には、図２（ｂ）及び図２（ｃ）に示すように、円周方向に等間隔（１８０°）をもって並列する２つの凸部７４２が設けられている。凸部７４２には、図２（ｂ）に示すように、第２連結板７５０の凸部と係合するための係合面７４４と、回転板２０を光路内の進行位置へと移動させるときや第１連結板７４０と第２連結板７５０とを連結するとき、又は回転板２０を光路外の退避位置へと移動させるときなどにそれらの動作を補助する役割を担う突起部７４６，７４８とが設けられている。
【００５０】
第２連結板７５０は、図２（ｄ）及び図３に示すように、全体が第１連結板７４０の外径と略同一の外径をもつ円板によって形成され、その一方側端面が回転板２０における被照明領域側の面の中央部（図１（ｃ）に示す回転板２０の光透過領域２２及び光非透過領域２４を除く領域）に固着されている。第２連結板７５０の他方側端面の外周縁には、図２（ｄ）及び図２（ｅ）に示すように、平面円形状で、円周方向に等間隔（９０°）をもって並列する４つの凸部７５２が設けられている。
【００５１】
第２連結手段７３４は、図２（ａ）及び図３に示すように、回転板２０を駆動モータ１０側に付勢するＩ字状の板ばねからなり、ホルダ７１０の光源装置１１０側に配置されている。そして、駆動モータ１０と回転板２０とを光路内の進行位置で回転板２０の回転軸方向に沿って連結するように構成されている。
【００５２】
ここで、規制部材７６０についての詳細は後述することとし、実施形態１に係るプロジェクタにおける駆動モータ１０と回転板２０との連結及び連結解除の動作について説明することとする。
駆動モータ１０と回転板２０との連結及び連結解除に関係する動作としては、回転板２０が光路内の進行位置へと移動するときの動作や駆動モータ１０と回転板２０とが連結されるときの動作、又はその連結が解除されて回転板２０が光路外の退避位置へと移動するときの動作などがあるので、それらを順を追って詳細に説明することとする。
【００５３】
まず、回転板２０が光路外の退避位置から光路内の進行位置へと移動するときの動作について、図４及び図５を用いて説明する。
図４は、回転板の進退動作を説明するための図である。図４（ａ）は退避位置における回転板を光源装置側から見た正面図であり、図４（ｂ）は退避位置と進行位置との間（中間位置）における回転板を光源装置側から見た正面図であり、図４（ｃ）は進行位置における回転板を光源装置側から見た正面図である。
図５は、回転板の進行位置への移動動作を説明するための図である。図５（ａ）は退避位置における回転板を上から見た図であり、図５（ｂ）は退避位置と進行位置との間（中間位置）における回転板を上から見た図であり、図５（ｃ）は進行位置における回転板を上から見た図である。
【００５４】
回転板２０の進行位置への移動動作は、まず始めに、図４（ａ）及び図５（ａ）に示す退避位置においてガイド７０２にホルダ７１０を介して保持されている回転板２０を、光源装置１１０側から見て右方向（図４（ａ）の矢印ｂ１方向）へと移動させる。このとき、ホルダ７１０はガイド７０２に沿って移動することとなるので、ホルダ７１０によって回転自在に保持されている回転板２０もまたガイド７０２に沿って移動することとなる。すなわち、回転板２０は、照明光軸１００ａｘに垂直な仮想面上を直線的に移動するように構成されている。なお、駆動モータ１０側に配設された第１連結板７４０及び回転板２０側に配設された第２連結板７５０の回転位置が、図４（ａ）に示すような回転位置にある状態を「初期状態」と呼ぶこととする。
【００５５】
そして、回転板２０を図４（ｂ）及び図５（ｂ）に示す中間位置まで移動させる。このとき、第１連結板７４０及び第２連結板７５０の回転位置が初期状態にあること、及び第２連結板７５０の凸部７５２が第１連結板７４０の凸部７４２を通すだけの余裕を持った間隔で配設されていることより、第１連結板７４０の凸部７４２と第２連結板７５０の凸部７５２とが接触することなく、回転板２０をスムーズに移動させることができる。
【００５６】
そして、回転板２０をさらに右方向（図４（ｂ）のｂ１方向）へと移動させることにより、回転板２０を図４（ｃ）及び図５（ｃ）に示す進行位置へと配置させることができ、回転板２０の進行位置への移動動作が完了する。
なお、回転板２０の進行位置への移動動作においては、第１連結板７４０及び第２連結板７５０の回転位置が初期状態にあることがより好ましい。
【００５７】
ここで、回転板２０の進行位置への移動動作を説明するにあたり、第１連結板７４０及び第２連結板７５０の回転位置が初期状態にある場合（図４（ａ）参照。）を例にして説明したが、これに限られず、第１連結板７４０及び第２連結板７５０の回転位置が初期状態でない場合であっても、回転板２０を進行位置へと移動させることができる。例えば、第２連結板７５０の回転位置が図６（ａ）に示すような位置であってもよい。
図６は、回転板の進行位置への移動動作を説明するための図である。図６（ａ）〜図６（ｄ）はその移動動作の流れを示す図である。なお、図６（ａ）〜図６（ｄ）において、図４に示すガイド７０２、回転板２０等は図示せずに移動動作に関わる第１連結板７４０及び第２連結板７５０の要部のみを拡大して示すとともに、同一の符号は省略することとする。
【００５８】
まず、回転板２０に配設された第２連結板７５０を、図６（ａ）に示す退避位置から右方向（図６（ａ）の矢印ｂ１方向）へと移動させる。すると、図６（ｂ）に示すように、第１連結板７４０の凸部７４２（突起部７４６）と第２連結板７５０の凸部７５２とが接触する。しかしながら、両凸部の形状及び回転板２０がホルダ７１０に対して回転自在に保持されていることより、回転板２０に配設された第２連結板７５０は、図６（ｂ）の矢印Ｒ２方向に回転しながら、さらに右方向（図６（ｂ）の矢印ｂ１方向）へと移動する（図６（ｃ）参照。）。そして、最終的には回転板２０に配設された第２連結板７５０を図６（ｄ）に示す進行位置へと配置させることができ、回転板２０の進行位置への移動動作が完了する。
【００５９】
次に、駆動モータ１０と回転板２０とが連結されるときの動作について、図７を用いて説明する。
図７は、駆動モータと回転板との連結動作を説明するための図である。図７（ａ）〜図７（ｃ）はその連結動作の流れを示す図である。なお、図７（ａ）〜図７（ｃ）においても図６と同様に、図４に示すガイド７０２、回転板２０等は図示せずに連結動作に関わる第１連結板７４０及び第２連結板７５０の要部のみを拡大して示すとともに、同一の符号は省略することとする。
また、駆動モータ１０と回転板２０との連結動作が行われる前提として、回転板２０の進行位置への移動動作は既に完了しているものとする。
【００６０】
駆動モータ１０と回転板２０との連結動作は、まず始めに、図７（ａ）に示すように、回転板２０（第２連結板７５０）を進行位置に移動させた後において、駆動モータ１０を駆動させて、駆動モータ１０のモータ軸上に固着された第１連結板７４０を矢印Ｒ１方向に回転させる。すると、その回転により、図７（ｂ）に示すように、第１連結板７４０の凸部７４２における係合面７４４と第２連結板７５０の凸部７５２とが係合される。そして、両凸部が係合されたままの状態で図７（ｃ）の矢印Ｒ１方向に回転を続けることとなる。
【００６１】
これにより、駆動モータ１０と回転板２０との連結動作において、回転板２０の回転方向に沿った連結については、第１連結手段７３２としての第１連結板７４０及び第２連結板７５０によってその連結が完成される。一方、回転板２０の回転軸方向に沿った連結については、図２（ａ）及び図３に示すように、回転板２０を駆動モータ１０側に付勢するＩ字状の板ばねからなる第２連結手段７３４が備えられているため、回転板２０の回転軸方向に沿った連結についても完成される。
【００６２】
このため、実施形態１に係るプロジェクタ１０００においては、光路外の退避位置から光路内の進行位置へと回転板２０を移動させて駆動モータ１０を順方向（図７（ａ）の矢印Ｒ１方向）に回転するだけで、駆動モータ１０と回転板２０との連結が自動的に行われ、駆動モータ１０の回転力を回転板２０へと伝達することができる。その結果、駆動モータ１０と回転板２０とを連結するための複雑な手順（例えば、ネジ締めにより回転板２０と駆動モータ１０とを固定する手順。）が不要になり、回転板２０の迅速な進行・連結動作を行うことができる。
【００６３】
次に、駆動モータ１０と回転板２０との連結が解除されて回転板２０が光路外の退避位置へと移動するときの動作について、図８を用いて説明する。
図８は、駆動モータと回転板との連結解除動作及び回転板の退避位置への移動動作を説明するための図である。図８（ａ）〜図８（ｄ）はそれら一連の動作の流れを示す図である。なお、図８（ａ）〜図８（ｄ）においても図６と同様に、図４に示すガイド７０２、回転板２０等は図示せずにそれら一連の動作に関わる第１連結板７４０及び第２連結板７５０の要部のみを拡大して示すとともに、同一の符号は省略することとする。
【００６４】
駆動モータ１０と回転板２０との連結が解除されて回転板２０が光路外の退避位置へと移動するときの動作は、まず始めに、図８（ａ）に示すように光路内の進行位置で互いに連結している第１連結板７４０及び第２連結板７５０を左方向（図８（ａ）の矢印ｂ２方向）へと移動させる。このとき第１連結板７４０の凸部７４２及び第２連結板７５０の凸部７５２は互いに係合されているが、駆動モータ１０の回転が停止していること及び回転板２０はホルダ７１０によって回転自在に保持されていることより、回転板２０（第２連結板７５０）を左方へ移動させると、図８（ｂ）に示すように、回転板２０（第２連結板７５０）は矢印Ｒ１方向にわずかながら回転し、両凸部の係合は解除されることとなる。
【００６５】
そして、回転板２０（第２連結板７５０）をさらに左方向（図８（ｂ）の矢印ｂ２方向）へと移動させると、図８（ｃ）に示すように、第１連結板７４０の凸部７４２と第２連結板７５０の凸部７５２とが接触することとなるが、回転板２０はホルダ７１０によって回転自在に保持されていることより、回転板２０（第２連結板７５０）をさらに左方向へと移動させると、回転板２０（第２連結板７５０）は矢印Ｒ２方向にわずかながら回転することとなる。
【００６６】
そして、回転板２０（第２連結板７５０）をそこからさらに左方向（図８（ｃ）のｂ２方向）へと移動させることにより、回転板２０を図８（ｄ）に示す退避位置へと配置させることができ、これにより、駆動モータ１０と回転板２０との連結が解除されて回転板２０が光路外の退避位置へと移動するという一連の動作が完了する。
【００６７】
このため、実施形態１に係るプロジェクタ１０００においては、光路内の進行位置において連結手段７３０（第１連結手段７３２としての第１連結板７４０及び第２連結板７５０並びに第２連結手段７３４）により駆動モータ１０と連結されている回転板２０を、光路内の進行位置から光路外の退避位置へと移動させる動作を開始するだけで、駆動モータ１０と回転板２０との連結の解除が自動的に行われ、駆動モータ１０から回転板２０を離脱させることができる。このため、駆動モータ１０と回転板２０との連結を解除するための複雑な手順（例えば、駆動モータと回転部材とを連結しているネジを外す手順。）が不要になり、回転板２０の迅速な連結解除・退避動作を行うことができる。
【００６８】
ここで、回転板２０の連結解除・退避動作を説明するにあたり、第１連結板７４０及び第２連結板７５０の回転位置として、図８（ａ）に示すような回転位置を例にして説明したが、回転板２０の連結解除・退避動作においては、第１連結板７４０の回転位置として、図４（ｃ）に示すような回転位置（初期状態の回転位置）であることがより好ましい。
【００６９】
以上の構成により、実施形態１に係るプロジェクタ１０００によれば、回転板２０は光路内外の進行位置と退避位置との間で移動するように構成されてなるため、静止画を表示するときや動画表示の滑らかさよりも画面の明るさが優先されるようなときには、回転板２０を光路外の退避位置へ移動することにより、液晶表示装置４００には連続して照明光束が照射されるようになり、光利用効率が低下することがなくなる。
このため、実施形態１に係るプロジェクタ１０００によれば、滑らかで良質な動画表示が求められるときには回転板２０を光路内の進行位置へ移動することにより、滑らかで良質な動画表示を得ることができ、静止画を表示するときや動画表示の滑らかさよりも画面の明るさが優先されるようなときには回転板２０を光路外の退避位置へ移動することにより、明るい表示画面を得ることができ、使用目的に応じて最適な性能を発揮するプロジェクタとなる。
【００７０】
また、実施形態１に係るプロジェクタ１０００においては、回転板２０を駆動モータ１０に着脱可能に連結する連結手段７３０をさらに備え、この連結手段７３０により回転板２０を駆動モータ１０から離脱した状態において、回転板２０を光路内の進行位置から光路外の退避位置に退避したり光路外の退避位置から光路内の進行位置に進行したりするように構成されているため、滑らかで良質な動画表示が求められるときには、回転板２０のみを光路内の進行位置へ移動することにより、滑らかで良質な動画表示を得ることができ、静止画を表示するときや動画表示の滑らかさよりも画面の明るさが優先されるようなときには、回転板２０のみを光路外の退避位置へ移動することにより、明るい表示画面を得ることができる。
このため、駆動モータ１０とともに回転板２０を移動する場合と比較して負荷が軽くなるため、迅速で静かな移動が可能になるとともに、移動に必要な装置の構造の簡素化を図ることができる。また、回転板２０のみを移動させることから、駆動モータ部分の退避スペースをとる必要がなく、退避スペースが少なくて済むという利益がある。
【００７１】
実施形態１に係るプロジェクタ１０００によれば、駆動モータ１０と回転板２０との連結を、回転板２０の回転方向に沿った連結と回転板２０の回転軸方向に沿った連結とに分けて、その回転方向に沿った連結が第１連結手段７３２によって、回転軸方向に沿った連結が第２連結手段７３４によってそれぞれ行われるよう構成されているため、駆動モータ１０と回転板２０との連結動作をより柔軟に行うことができる。
【００７２】
また、実施形態１に係るプロジェクタ１０００によれば、上記のように、第１連結手段７３２は、駆動モータ１０の回転動作によって互いに係合され、かつ、回転板２０を退避位置へと移動させる動作を開始することによって互いの係合が解除されるように構成された凸部をそれぞれ有する第１連結板７４０及び第２連結板７５０からなり、第１連結板７４０は駆動モータ１０側に配設され、第２連結板７５０は回転板２０側に配設されている。
【００７３】
これにより、駆動モータ１０と回転板２０とを連結させるときには、回転板２０を光路内の進行位置に移動させて駆動モータ１０を順方向に回転させるだけで、駆動モータ１０側に配設された第１連結板７４０の凸部７４２と回転板２０側に配設された第２連結板７５０の凸部７５２とが互いに係合され、第１連結手段７３２による駆動モータ１０と回転板２０との連結が完了するため、駆動モータ１０の回転力を回転板２０へと伝達することができる。また、駆動モータ１０と回転板２０との連結を解除するときには、光路内の進行位置において第１連結手段７３２により駆動モータ１０と連結されている回転板２０を、光路内の進行位置から光路外の退避位置へと移動させる動作を開始するだけで、第１連結板７４０の凸部７４２と第２連結板７５０の凸部７５２との係合が解除され、駆動モータ１０と回転板２０との連結が解除されるため、駆動モータ１０から回転板２０を離脱させることができる。
このため、駆動モータ１０と回転板２０との連結及び連結解除をするための複雑な手順を行うことがなく、回転板２０の迅速な進退動作を容易に行うことができる。
【００７４】
また、実施形態１に係るプロジェクタ１０００においては、回転板２０は本来光路内外の進行位置と退避位置との間で移動可能であるがゆえに、回転板２０を光路内の進行位置に移動させた際の配置位置に微妙な位置ずれが起こるおそれがある。しかしながら、実施形態１に係るプロジェクタ１０００における第１連結手段７４０を用いることによって、その位置ずれを調整することができる。
【００７５】
ここで、回転板２０の位置ずれを調整する動作を説明するために、進行位置において回転板２０が左方にずれ量ｔだけずれて配置された場合を例として、図９を用いて説明する。
図９は、回転板の位置ずれを調整する動作を説明するための図である。図９（ａ）は進行位置において左方にずれて配置された回転板を光源装置側から見た正面図であり、図９（ｂ）〜図９（ｅ）は回転板の位置ずれを調整する動作の一連の流れを示す図である。なお、図９（ｂ）〜図９（ｅ）においても図６と同様に、図４に示すガイド７０２、回転板２０等は図示せずにそれら一連の動作に関わる第１連結板７４０及び第２連結板７５０の要部のみを拡大して示すとともに、同一の符号は省略することとする。
【００７６】
回転板２０の進行位置への移動動作によって、図９（ａ）及び図９（ｂ）に示すように、正規の進行位置より光源装置１１０側から見て左方にずれ量ｔだけずれた位置に配置された回転板２０（第２連結板７５０）に対して、駆動モータ１０の回転動作により第１連結板７４０が図９（ｂ）の矢印Ｒ１方向に回転し、第１連結板７４０の凸部７４２と第２連結板７５０の凸部７５２とが接触する（図９（ｃ）参照。）。このとき、図９（ｃ）における紙面右側の凸部７４２と凸部７５２との係合は、凸部７４２の突起部７４８によるものであるため、その係合は不安定なものとなっている。
【００７７】
そして、駆動モータ１０の回転動作により第１連結板７４０を図９（ｃ）の矢印Ｒ１方向にさらに回転させると、両凸部の係合を安定させようとする力がその係合部分に働くため、回転板２０（第２連結板７５０）は図９（ｃ）の矢印ｂ１方向へと徐々に移動することとなる（図９（ｄ）参照）。
そして、駆動モータ１０（第１連結板７４０）をさらに回転し続けると、両凸部の係合が最も安定する位置として、凸部７４２の係合部７４４の位置に凸部７５２が係合されることとなる（図９（ｅ）参照。）。これにより、進行位置における回転板２０の位置ずれを調整する動作が完了する。また、第１連結手段７３２（第１連結板７４０及び第２連結板７５０）による駆動モータ１０と回転板２０との連結が完了するため、駆動モータ１０の回転力を回転板２０へと確実に伝達することができる。
このため、実施形態１に係るプロジェクタ１０００によれば、回転板２０を光路内の進行位置に移動させて駆動モータ１０を順方向に回転させるだけで、回転板２０の位置ずれの調整動作及び駆動モータ１０と回転板２０との連結動作を一挙に行うことができる。
【００７８】
実施形態１に係るプロジェクタ１０００においては、図２、図３及び図５に示すように、第２連結手段７３４として、回転板２０を駆動モータ１０側に付勢するための板ばねを用いている。
回転板２０の回転軸方向に沿った連結は第２連結手段７３４によって行われるので、付勢手段として一般に広く利用されている板ばねを第２連結手段７３４として用いることにより、回転板２０の回転軸方向に沿った連結を容易に行うことができる。
また、板ばねは一般に小型軽量で、かつ、製造加工が容易であるため、実施形態１に係るプロジェクタ１０００によれば、駆動モータ１０と回転板２０とを回転板２０の回転軸方向に沿って連結するのに必要な装置の小型化やそのような装置の構造の簡素化を図ることができる。
【００７９】
実施形態１に係るプロジェクタ１０００においては、図２、図３及び図５に示すように、回転板２０が駆動モータ１０から離脱した状態において第２連結手段７３４によって駆動モータ１０側に傾く動作を規制する規制部材７６０をさらに備えている。
実施形態１に係るプロジェクタ１０００においては、回転板２０は光路内外の進行位置と退避位置との間で移動可能であり、かつ、第２連結手段７３４によって駆動モータ１０と回転板２０とを回転板２０の回転軸方向に沿って連結しているがゆえに、回転板２０を光路外の退避位置に移動させたときにおいても、回転板２０に対して第２連結手段７３４による押圧力が働くことがある。光路外の退避位置においてそのような押圧力が働いた場合には、回転板２０が駆動モータ１０側に斜めに傾いてしまうので、回転板２０が駆動モータ１０と衝突してしまい、回転板２０が割れたり回転板２０の光透過領域２２又は光非透過領域２４に傷がついたりするなどの悪影響を及ぼすおそれがある。
しかしながら、実施形態１に係るプロジェクタ１０００によれば、回転板２０を光路外の退避位置に移動させたときには、第２連結手段７３４による回転板２０への押圧力は規制部材７６０が受けることになるので、駆動モータ１０から離脱した回転板２０が駆動モータ１０側へ傾く動作は規制部材７６０によって規制されることとなる。このため、回転板２０と駆動モータ１０との不慮の衝突を回避することができ、回転板２０への悪影響を未然に防止することができる。
【００８０】
〔実施形態２〕
図１０は、実施形態２に係るプロジェクタを説明するために示す図である。図１０（ａ）は平面図であり、図１０（ｂ）は側面図であり、図１０（ｃ）は図１０（ａ）及び図１０（ｂ）の回転板を説明するために示す図であり、図１０（ｄ）は被照明領域である液晶表示装置上における照明状態を示す図である。図１０において、図１と同一の部材については同一の符号を付し、詳細な説明は省略する。
【００８１】
実施形態２に係るプロジェクタ１０００Ｂは、図１０（ａ）及び図１０（ｂ）に示すように、電気光学変調装置として３枚の液晶表示装置４００Ｒ，４００Ｇ，４００Ｂを用いた点及びインテグレータ光学系としてレンズインテグレータ（第１レンズアレイ１６０、第２レンズアレイ１７０及び重畳レンズ１９０）を用いた点で、実施形態１に係るプロジェクタ１０００と異なっている。
【００８２】
しかしながら、実施形態２に係るプロジェクタ１０００Ｂは、その他の点では実施形態１に係るプロジェクタ１０００と同様の効果を有しているため、実施形態１に係るプロジェクタ１０００が有する効果をそのまま有する。
すなわち、液晶表示装置４００Ｒ，４００Ｇ，４００Ｂに照射される照明光束が液晶表示装置４００Ｒ，４００Ｇ，４００Ｂの画面書込み周波数に同期して遮断されるよう間欠的に光の遮断を行う回転板２０を備えているため、各液晶表示装置４００Ｒ，４００Ｇ，４００Ｂの画像形成領域においては光照射が所定のタイミングで間欠的に行われるようになる。その結果、実施形態１に係るプロジェクタ１０００の場合と同様に、尾引き現象が緩和され、滑らかで良質な動画表示が得られるプロジェクタとなる。
また、実施形態２に係るプロジェクタ１０００Ｂにおいては、このような効果を奏する回転板２０が光源装置１１０からの照明光束が集束する位置近傍に配置されているため、回転板２０の大きさを比較的小さくすることができ、プロジェクタの大型化を極力抑制することができるようになる。
このため、実施形態２に係るプロジェクタ１０００Ｂは、滑らかで良質な動画表示が得られるようにした場合であっても小型化が容易な構造をもったプロジェクタとなる。
【００８３】
また、実施形態２に係るプロジェクタ１０００Ｂにおいては、回転板２０は光路内外の進行位置と退避位置との間で移動するように構成されてなるため、静止画を表示するときや動画表示の滑らかさよりも画面の明るさが優先されるようなときには、回転板２０を光路外の退避位置へ移動することにより、液晶表示装置４００Ｒ，４００Ｇ，４００Ｂには連続して照明光束が照射されるようになり、光利用効率が低下することがなくなる。
このため、実施形態２に係るプロジェクタ１０００Ｂによれば、滑らかで良質な動画表示が求められるときには回転板２０を光路内の進行位置へ移動することにより、滑らかで良質な動画表示を得ることができ、静止画を表示するときや動画表示の滑らかさよりも画面の明るさが優先されるようなときには回転板２０を光路外の退避位置へ移動することにより、明るい表示画面を得ることができ、使用目的に応じて最適な性能を発揮するプロジェクタとなる。
【００８４】
〔実施形態３〕
図１１は、実施形態３に係るプロジェクタを説明するために示す図である。図１１（ａ）は平面図であり、図１１（ｂ）は側面図であり、図１１（ｃ）は図１１（ａ）及び図１１（ｂ）の回転ホイールを説明するために示す図であり、図１１（ｄ）は被照明領域である液晶表示装置上における照明状態を示す図である。図１１において、図１と同一の部材については同一の符号を付し、詳細な説明は省略する。
【００８５】
実施形態３に係るプロジェクタ１０００Ｃは、回転部材として、図１１（ｃ）に示すような渦巻き状に形成された光透過領域３２及び光非透過領域３４を有する回転ホイール３０を用いた点、及びその回転ホイール３０をインテグレータロッド１２０の光射出面近傍に配置した点で、実施形態１に係るプロジェクタ１０００と異なっている。
【００８６】
しかしながら、実施形態３に係るプロジェクタ１０００Ｃは、その他の点では実施形態１に係るプロジェクタ１０００と同様の効果を有しているため、実施形態１に係るプロジェクタ１０００が有する効果をそのまま有する。
すなわち、液晶表示装置４００の画面書込み周波数に同期して、光照射領域と光非照射領域とが順次交互にスクロールされるように渦巻き状に形成された光透過領域３２及び光非透過領域３４を有する回転ホイール３０を備えているため、液晶表示装置４００の画像形成領域においては光照射領域と光非照射領域とが順次交互にスクロールされるようになる。その結果、実施形態１に係るプロジェクタ１０００の場合と同様に、尾引き現象が緩和され、滑らかで良質な動画表示が得られるようになる。
【００８７】
また、実施形態３に係るプロジェクタ１０００Ｃにおいては、このような効果を奏する回転ホイール３０を比較的小さな面積となるインテグレータロッド１２０の光射出面近傍に配置されているため、回転ホイール３０の大きさを比較的小さくすることができ、プロジェクタの大型化を極力抑制することができるようになる。
このため、実施形態３に係るプロジェクタ１０００Ｃは、滑らかで良質な動画表示が得られるようにした場合であっても小型化が容易な構造をもったプロジェクタとなる。
【００８８】
また、実施形態３に係るプロジェクタ１０００Ｃによれば、回転ホイール３０は光路内外の進行位置と退避位置との間で移動するように構成されてなるため、静止画を表示するときや動画表示の滑らかさよりも画面の明るさが優先されるようなときには、回転ホイール３０を光路外の退避位置へ移動することにより、液晶表示装置４００には連続して照明光束が照射されるようになり、光利用効率が低下することがなくなる。
このため、実施形態３に係るプロジェクタ１０００Ｃによれば、滑らかで良質な動画表示が求められるときには回転ホイール３０を光路内の進行位置へ移動することにより、滑らかで良質な動画表示を得ることができ、静止画を表示するときや動画表示の滑らかさよりも画面の明るさが優先されるようなときには回転ホイール３０を光路外の退避位置へ移動することにより、明るい表示画面を得ることができ、使用目的に応じて最適な性能を発揮するプロジェクタとなる。
【００８９】
〔実施形態４〕
図１２は、実施形態４に係るプロジェクタを説明するために示す図である。図１２（ａ）は平面図であり、図１２（ｂ）は側面図であり、図１２（ｃ）は図１２（ａ）及び図１２（ｂ）のカラーホイールを説明するために示す図である。図１２において、図１と同一の部材については同一の符号を付し、詳細な説明は省略する。
【００９０】
実施形態４に係るプロジェクタ１０００Ｄは、電気光学変調装置としてマイクロミラーによる１枚の反射型光変調装置４１０を用いた単板式プロジェクタでありながら、カラーホイール４０を用いることによって、フルカラー表示を可能としたプロジェクタである。
【００９１】
このように、実施形態４に係るプロジェクタ１０００Ｄにおいては、フルカラー表示を可能にするためのカラーホイール４０を用いているが、このカラーホイール４０を駆動モータ１０に着脱可能に連結する連結手段、カラーホイール４０が駆動モータ１０側に傾く動作を規制するための規制部材、及びカラーホイール４０を光路内の進行位置と光路外の退避位置との間で進退させるための移動装置は、実施形態１に係るプロジェクタ１０００における連結手段７３０、規制部材７６０及び移動装置と基本的には同じ構成を有している。このため、駆動モータ１０とともにカラーホイール４０を移動する場合と比較して負荷が軽くなるため、迅速で静かな移動が可能になるとともに、移動の簡素化を図ることができる。また、カラーホイール４０のみを移動させることから、駆動モータ部分の退避スペースをとる必要がなく、退避スペースが少なくて済むという利益がある。
【００９２】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００９３】
（１）上記各実施形態のプロジェクタ１０００〜１０００Ｄにおいては、それぞれ回転板２０、回転ホイール３０、カラーホイール４０が照明光軸１００ａｘに垂直な仮想面上を直線的に移動することにより光路内の進行位置と光路外の退避位置との間を進退するように構成されているものを示したが、本発明はこれに限定されず、照明光軸１００ａｘに垂直な仮想面上を回動することにより光路内の進行位置と光路外の退避位置との間を進退するように構成されてなるものでもよい。
（２）上記各実施形態のプロジェクタ１０００〜１０００Ｄにおいては、第１連結板７４０と第２連結板７５０とを係合させるための凸部の形状として、上記のような凸部７４２，７５２（図２（ｂ）及び図２（ｄ）参照。）をその一例として示したが、本発明はこれに限られない。その凸部形状としては、回転板２０（回転ホイール３０、カラーホイール４０）の進退動作、駆動モータ１０と回転板２０（回転ホイール３０、カラーホイール４０）との連結動作及び連結解除動作、並びに回転板２０（回転ホイール３０、カラーホイール４０）の位置ずれを調整する動作を容易に行えるような機能を有する凸部形状であればよい。その場合には、第１連結板及び第２連結板に配設される凸部の個数もその凸部形状に応じて増減することは勿論である。
（３）本発明は、投写画像を観察する側から投写するフロント投写型プロジェクタに適用する場合にも、投写画像を観察する側とは反対の側から投写するリア投写型プロジェクタにも適用できる。
【図面の簡単な説明】
【００９４】
【図１】実施形態１に係るプロジェクタを説明するために示す図。
【図２】実施形態１に係るプロジェクタにおける光シャッタ装置を説明するために示す図。
【図３】光シャッタ装置における回転部材と駆動モータとの連結状態を示す図。
【図４】回転板の進行位置への移動動作を説明するための図。
【図５】回転板の進行位置への移動動作を説明するための図。
【図６】回転板の進行位置への移動動作を説明するための図。
【図７】駆動モータと回転板との連結動作を説明するための図
【図８】駆動モータと回転板との連結解除動作及び回転板の退避位置への移動動作を説明するための図。
【図９】回転板の位置ずれを調整する動作を説明するための図。
【図１０】実施形態２に係るプロジェクタを説明するために示す図。
【図１１】実施形態３に係るプロジェクタを説明するために示す図。
【図１２】実施形態４に係るプロジェクタを説明するために示す図。
【図１３】従来のプロジェクタを説明するために示す図。
【図１４】従来の他のプロジェクタを説明するために示す図。
【符号の説明】
【００９５】
１０…駆動モータ、２０…回転板、２２，３２…光透過領域、２４，３４…光非透過領域、３０…回転ホイール、４０…カラーホイール、１００，１００Ｂ，１００Ｃ，１００Ｄ…照明装置、１００ａｘ…照明光軸、１１０…光源装置、１１２…発光管、１１４…楕円面リフレクタ、１１５…赤外線ミラー、１１６…補助ミラー、１２０…インテグレータロッド、１４０…リレー光学系、１５０…平行化凸レンズ、１６０…第１レンズアレイ、１７０…第２レンズアレイ、１８０…偏光変換素子、１９０…重畳レンズ、２００…色分離光学系、２５０…反射ミラー、３００…リレー光学系、４００，４００Ｒ，４００Ｇ，４００Ｂ…液晶表示装置、４１０…反射型光変調装置、５００…クロスダイクロイックプリズム、５００Ｂ…反射型プリズム、６００…投写光学系、７００…光シャッタ装置、７００Ｃ…回転ホイール装置、７００Ｄ…カラーホイール装置、７０２…ガイド、７１０…ホルダ、７１２…垂直部、７１４…傾斜部、７１６…ガイド挿通孔、７１８…ホルダ部、７３０…連結手段、７３２…第１連結手段、７３４…第２連結手段、７４０…第１連結板、７４２…凸部、７４４…係合部、７４６，７４８…突起部、７５０…第２連結板、７５２…凸部、７６０…規制部材、９００Ａ，９００Ｂ，１０００，１０００Ｂ，１０００Ｃ，１０００Ｄ…プロジェクタ
【図１１】
2005266580.tif 000003
【図１３】
2005266580.tif 000004
【図１４】
2005266580.tif 000005
【図１】
2005266580.tif 000006
【図２】
2005266580.tif 000007
【図３】
2005266580.tif 000008
【図４】
2005266580.tif 000009
【図５】
2005266580.tif 000010
【図６】
2005266580.tif 000011
【図７】
2005266580.tif 000012
【図８】
2005266580.tif 000013
【図９】
2005266580.tif 000014
【図１０】
2005266580.tif 000015
【図１２】
2005266580.tif 000016